(57)【要約】【課題】追い炊き配管由来の雑菌汚染による衛生面の不具合点を解決する技術の提供。【解決手段】『追い炊きしない入浴スタイル』の普及を図るため、電気ヒーター内臓保温浴槽１０の構造は浴槽と断熱保温材１９の間に電気ヒーター１２が配設しており、電気ヒーター１２の作動は電気的に連動させた浴槽水栓２５閉止の入浴モード時のみ任意設定した通電時間設定範囲内で電気ヒーター１２が任意設定温度に対して通電しＯＮとなりＯＦＦとなる電気ヒーター内臓保温浴槽１０により追い炊きを無くす。【選択図】図１
2020081408.tif 000002
【特許請求の範囲】
【請求項１】
浴槽本体の浴槽底面と断熱保温材との間に電気ヒーターを配設または浴槽底面および浴槽側面との間に電気ヒーターを配設した電気ヒーター内臓保温浴槽およびユニットバス。
【請求項２】
電気ヒーターの作動は任意設定した通電時間設定範囲内のみで、または電気的に連動させた浴槽水栓が閉止の入浴モード時のみ任意設定した通電時間設定範囲内で前記電気ヒーターが通電しＯＮとなりＯＦＦとなることを特徴とした請求項１に記載の電気ヒーター内臓保温浴槽およびユニットバス。
【請求項３】
浴槽の湯張り供給部が標準湯張り水位面より上部で、
浴槽内壁面にはナノバブル発生器用空気バルブや富酸素空気バルブが取付けられており、チューブを通じてナノバブル発生器用空気また医療用富酸素空気が利用可能とすることを特徴とした請求項１又は請求項２に記載の電気ヒーター内臓保温浴槽およびユニットバス。
【発明の詳細な説明】
【技術分野】
【０００１】
本発明は、浴槽水栓と電気的に連動して作動する浴槽用保温ヒーターに関する。
【背景技術】
【０００２】
近年、居住者の多くが安全、安心また健康で快適な居住空間の提供を望み住宅等建物の付帯設備もかなり充実してきている。
ただ一方で、既に商品化されている洗濯機への風呂水利用システムやお風呂の追い炊きシステムなどは雑菌の増殖に結び付き衛生面に問題が多々あります。
【０００３】
問題は浴槽排水栓の上流側の浴槽部から直接残り湯を取出す方法で洗濯機に搭載されているポンプにより洗濯機に吸い上げる風呂水利用方法である。
この風呂水利用の取出し位置では入浴で浴槽に出入りするたびに浴槽の水位が上下する。
そのため、浴槽と洗濯機と連通している配管内の水位も上下するのでその度に配管内の雑菌も浴槽に出入りすることになり雑菌増殖に結び付くのです。
雑菌汚染問題の主原因はお風呂の追い炊きシステムで追い炊き配管からの雑菌汚染が一番大きいのである。
また、お湯が循環するジェットバスシステムやナノバブルシステムも含まれこの点を問題視しており、国民の多くがお風呂の追い炊きシステム等により雑菌に曝されていると言っても過言ではないのです。
【０００４】
本願発明の技術思想を基に雑菌汚染を可能な限り排除する『追い炊きしない入浴スタイル』を実現し、入浴による雑菌汚染の尿路感染症（子宮頸がん等）を排除し健康を害さない住宅設備機器の普及が大切であり、病気に掛からず健康寿命を延ばし国民医療費の低減を図ることが必須と考えました。
【０００５】
浴槽の雑菌汚染問題を解決するには『追い炊きしない入浴スタイル』を実現することが第一優先と考えています。
そこで、お風呂の追い炊きシステムがない状態で湯温を保つには高温の足し湯をするか、または、お風呂用電気コード付き簡易ヒーターで浴槽内のお湯を適温に保つ方法が一般的です。
しかし、高温の足し湯での火傷事故また簡易ヒーターの感電事故も心配であり、高齢者や子供には安全面で優しくありません。
【０００６】
この不安全面に着目し、高温の足し湯での火傷事故や簡易ヒーターで感電事故をなくす人に優しい安全で快適な入浴スタイルを目指したく技術情報を調査しました。
結果は、浴槽保温に関しては４時間経過後２、５℃以内のＪＩＳ基準の高断熱浴槽についての技術情報がありました。
しかし、浴槽用保温ヒーターに関しては技術情報の検索ができませんでした。
尚、残り湯利用を図ることで追い炊きせずに毎回新しい湯に入る入浴スタイルに関しては＜特許文献１＞＜特許文献２＞がありましたが、電気ヒーター内臓保温浴槽また浴槽用保温ヒーターについては検索できませんでした。
・＜特許文献１＞特許第５１７９７７８号
・＜特許文献２＞特許第５１８０１３６号
【発明の概要】
【発明が解決しようとする課題】
【０００７】
最近のユニットバスや単独浴槽には追い炊き機能が標準となっています。
この追い炊き配管由来の雑菌汚染により衛生面で不具合が生じています。
この不具合を解消するため、多くの家庭で普及している『追い炊き機能』を外すと保温材で覆った保温浴槽であってもお湯が冷めた際には高温足し湯でカバーする方法またはお風呂用電気コード付き簡易ヒーターで温めるしかないのが現状なので、本技術を提供することで安全面や衛生面の不具合点を解消したい。
【０００８】
そこで、高齢者や子供を問わず全ての人に安全面また衛生面でも優しい雑菌汚染のない衛生的な新しい入浴スタイルを具現化し提供することにある。
更に、ナノバブル発生器用空気供給設備や医療用富酸素空気供給設備を浴室内に導入することにより呼吸器系疾患で酸素供給用ボンベを使用している患者にも簡単に利用できる安心で快適な入浴スタイルを提供する。
【課題を解決するための手段】
【０００９】
前記目的を達成するため本発明は、以下の技術的手段を講じた。
第１に、浴槽本体の浴槽底面と断熱保温材との間に電気ヒーターを配設または浴槽底面および浴槽側面との間に電気ヒーターを配設した電気ヒーター内臓保温浴槽およびユニットバスとした。
【００１０】
第２に、電気ヒーターの作動は任意設定した通電時間設定範囲内のみで、または電気的に連動させた浴槽水栓が閉止の入浴モード時のみ任意設定した通電時間設定範囲内で前記電気ヒーターが通電しＯＮとなりＯＦＦとなる電気ヒーター内臓保温浴槽およびユニットバスとした。
【００１１】
第３に、浴槽の湯張り供給部が標準湯張り水位面より上部で、
浴槽内壁面にはナノバブル発生器用空気バルブや富酸素空気バルブが取付けられており、チューブを通じてナノバブル発生器用空気また医療用富酸素空気が利用可能とする電気ヒーター内臓保温浴槽およびユニットバスとした。
【発明の効果】
【００１２】
本発明により現在直面している入浴時の衛生面の不具合点を解決する。即ち『追い炊きしない入浴スタイル』を具現化することで、雑菌汚染のない尿路感染症（子宮頸がん等）が排除でき人に優しく健康寿命を延ばし国民医療費の低減を図ることができる。
【図面の簡単な説明】
【００１３】
【図１】電気ヒーター内臓保温浴槽付きユニットバスの概念図
【発明を実施するための形態】
【００１４】
以下、本発明の実施の形態を図１の概念図に基づいて実施例１を説明する。
【実施例１】
【００１５】
図１は、技術的手段の第１また第２、第３を図示したユニットバス１で、電気ヒーター内臓保温浴槽１０の構造は浴槽底面と断熱保温材１９の間に電気ヒーター１２が配設しており、電気ヒーター１２の作動は電気的に連動させた浴槽水栓２５閉止の入浴モード時のみ任意設定した通電時間設定範囲内で電気ヒーター１２が任意設定温度に対して通電しＯＮとなりＯＦＦとなる電気ヒーター内臓保温浴槽１０を搭載したユニットバスである。
【００１６】
電気ヒーター内臓保温浴槽１０の電気ヒーター１２は浴槽水栓２５の閉止時にのみ連動して作動し電気ヒーター１２への通電は任意設定した通電時間設定範囲内のみで設定温度に対してＯＮ／ＯＦＦを繰返すことでお湯を適温に保つようになっている。
【００１７】
お湯の設定温度を保つ方法には任意設定温度に対してサーモスタット方式でヒーター温度を３℃の範囲で通電しＯＮ／ＯＦＦさせる。
他、任意設定温度に対してヒーター温度を一定に保つ方式もあるが、安価で故障が少なく一般的に普及している方式である熱検知サーモスタット通電ＯＮ／ＯＦＦ式の電気ヒーター１２で以下説明する。
【００１８】
電気ヒーター内臓保温浴槽１０の電気ヒーター１２は薄いシートタイプの熱検知サーモスタット通電ＯＮ／ＯＦＦ式で安全過昇温防止装置も組込まれており過昇温４５℃になると通電を遮断する。
電気ヒーター内臓保温浴槽１０の電気ヒーター１２は曲げ加工に柔軟性のある薄いシートヒーター１５を採用している。
【００１９】
一般標準家庭の入浴時間帯をベースに説明する。
浴槽を清掃し午後７時３０分に湯張りを開始すると、午後８時には適温略４０℃の湯張りが完了する。
入浴時間帯を午後８時から午後１１時の場合では任意設定可能な通電時間設定範囲を午後８時から午後１１時の３時間のみ電気ヒーター１２へ通電ＯＮ／ＯＦＦを繰返し電気ヒーター内臓保温浴槽１０の適温である略４０℃の湯温を保持する。
電気ヒーター内臓保温浴槽１０の電気ヒーター１２の通電時間設定範囲は寒い冬期の期間のみでよい訳で期間や時間帯また温度を任意設定できるようになっている。
【００２０】
本実施例１では電気的に連動させた浴槽水栓２５閉止の入浴モード時のみ任意設定した通電時間設定範囲で電気ヒーター１２に通電しＯＮ／ＯＦＦを繰返すが、例えば午後１０時に浴槽水栓を開放すれば通電時間設定範囲の午後８時から午後１１時とは無関係に電気ヒーター１２への通電が遮断される。
【００２１】
この場合、浴槽水栓２５を開放した時点から浴槽の残り湯が全て排水されてしまう。
これでは残り湯が利用できず不都合があるためにお風呂の残り湯利用システムである特許５１８０１３６公報や特願２０１４−０５７４１９公報で浴槽の残り湯利用先８０の便器や洗濯機に利用する技術と結び付けることで効果的な節水が各家庭で図れる。
【００２２】
残り湯利用を図ることと電気ヒーター内臓保温浴槽１０とを併用し追い炊きせずに毎回新しい湯に入る入浴スタイルを普及拡大させることは、雑菌汚染由来の尿路感染症（子宮頸がん等）が排除でき病気に掛からず健康寿命を延ばし国民医療費の低減を図ることができる。
健康寿命を延ばす『健康・快適・環境重視の住宅』造りへ一歩でも近づけられるので、その結果、国民医療費の抑制に結び付く可能性が大となるのです。
【００２３】
特願２０１４−０５７４１９公報にある浴槽の残り湯を便器や洗濯機に利用する技術構成で各モードの浴槽水栓２５また排水弁３５の開閉条件は次のとおりである。
・入浴モード時は、浴槽水栓２５閉止／排水弁３５閉止
・残り湯利用モード時は、浴槽水栓２５開放／排水弁３５閉止
・  清掃モード時は、浴槽水栓２５開放／排水弁３５開放
【００２４】
尚、本実施例１では電気ヒーター内臓保温浴槽１０を電気ヒーター方式としたが、熱源は電気と限らずに浴槽底面や側面部に温水を入れる二重底浴槽方式や温水パイプ方式または大気の熱を利用するヒートポンプ方式であってもよく、電気ヒーター方式に限定するものではない。
【００２５】
次に、最近オプション販売されている湯循環式ナノバブルシステも雑菌汚染に結び付くので、別な方法である圧縮空気を用いたナノバブルシステムを推奨したい。
このナノバブルシステムは浴室内壁面に取付けられたナノバブル発生器用空気バルブ５５に接続したチューブ５６を通じ圧縮空気でナノバブルを発生させる方法である。
チューブ５６には吸盤が取付けられており浴槽内壁に吸盤で取付けまた取外し可能とした電気ヒーター内臓保温浴槽１０となっている。
ナノバブル発生器はチューブ５６の先端部に多孔質セラミック製部品が取付けられていてナノバブルを温水中で放出する。
多孔質セラミック製部品はナノバブル放出部位を除きソフト材質の保護カバーで覆われていて浴槽を傷から守り、しかも水中に沈む重量となっている。
【００２６】
他、ナノバブル発生器には幾つかの方法がある。
例えば、圧縮空気を高速でエジェクターに流すと浴槽のお湯を吸い上げるのでこの気液流体をミキサー部で混合通過させナノバブルを発生させる方法など、多くの技術が紹介されている。
【００２７】
医療用富酸素空気発生機からの富酸素空気は浴室内壁面に取付けられた富酸素空気バルブ６５から簡単に取出せて呼吸器系疾患の患者に使用する。
富酸素空気バルブ６５に接続したチューブ６６を通じ富酸素空気用が供給される。
チューブ６６の先端部にはマスクが取付けられている。
【００２８】
空気から酸素と窒素を分離する膜体を搭載した医療用富酸素空気発生機は富酸素空気と富窒素空気をつくり出すので、富窒素空気をナノバブルシステムで利用すると効率的である。
さらに、炭酸ガスの方が湯温３９℃と低くても身体が温まる効果が高いと科学的に証明されているので炭酸ガスをナノバブルシステムに使用する方法であっても良い。
尚、富窒素空気や炭酸ガスを使用する場合は浴室の換気を十分行なう。
【産業上の利用可能性】
【００２９】
『快適・健康・環境を重視した住宅』造りへ一歩でも近づけられる。
【符号の説明】
【００３０】
１、ユニットバス
１０、電気ヒーター内臓保温浴槽
１２、電気ヒーター
１５、シートヒーター
１９、断熱保温材
２５、浴槽水栓
３５、排水弁
４５、湯張り／足し湯供給管
４６、湯張り／足し湯供給口安全カバー
５５、ナノバブル発生器用空気バルブ
５６、チューブ
６５、富酸素空気バルブ
６６、チューブ
８０、残り湯利用先
９９、標準湯張り水位面
【図１】
2020081408.tif 000003